【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
密封反応器内部の炭化水素含有材料を熱分解し、前記反応器がガス排気部品を備えるバッチプロセスであって、
ａ）反応器中に炭化水素含有材料を装入し、反応器を密封する段階と、
ｂ）前記反応器から酸素をパ−ジする段階と、
ｃ）前記反応器を所定温度に加熱して分解生成物を得る段階と、を含み、
パ−ジする段階が、反応器を密封する前に反応器に酸素親和性溶液を装入する段階と、密封反応器の内部を第１の所定温度まで加熱して、酸素親和性溶液が前記ガス排気部品を通して容器内部から酸素を排出するのを誘発する段階と、を含んだ改良点を備えるバッチプロセス。
【請求項２】
前記分解生成物を回収する段階を含む、請求項１に記載のバッチプロセス。
【請求項３】
前記第１の所定温度が少なくとも１００℃である、請求項１に記載のバッチプロセス。
【請求項４】
前記酸素親和性溶液が、前記反応器内に存在するガス状酸素（Ｏ２）の各４モルについて、１０モルの水（Ｈ２Ｏ）と、エタノ−ル、イソプロパノ−ル、ｎ−ブタノ−ル、およびイソブタノ−ル、ならびに、それらの混合物からなる群から選択される４モルのアルコ−ルの比率を含む、請求項１に記載のバッチプロセス。
【請求項５】
前記酸素親和性溶液が、６つおよび７つの炭素原子を有する炭化水素ならびにそれらの混合物からなる群から選択される、２０％（ｖ/ｖ）以下の短鎖炭化水素と、２％（ｖ/ｖ）以下の非イオン界面活性剤とをさらに含む、請求項４に記載のバッチプロセス。
【請求項６】
前記炭化水素含有材料が、車両タイヤ、ゴム材料、ビニルポリマ−、スチレンポリマ−、エチレンポリマ−、合成繊維、家庭廃棄物、動物廃棄物、生物医学的廃棄物、植物、およびそれらの混合物からなる群から選択される、請求項１に記載のバッチプロセス。
【請求項７】
前記酸素親和性溶液が、
ａ）水と、
ｂ）エタノ−ル、イソプロパノ−ル、ｎ−ブタノ−ル、およびイソブタノ−ル、ならびにこれらの混合物からなる群から選択されるアルコ−ルと、
ｃ）６つおよび７つの炭素原子を有する炭化水素ならびにそれらの混合物からなる群から選択される短鎖炭化水素と、
ｄ）非イオン界面活性剤であり、前記非イオン界面活性剤がポリエチレン−（２０）−ソルビタン−モノオレエ−トである非イオン界面活性剤と、を含む、請求項１に記載のバッチプロセス。
【請求項８】
水が５０〜６０％（ｖ/ｖ）の間の比率にある、請求項７に記載のバッチプロセス。
【請求項９】
前記アルコ−ルが３０〜４０％（ｖ/ｖ）の間の比率にある、請求項７に記載のバッチプロセス。
【請求項１０】
前記短鎖炭化水素が０〜２０％（ｖ/ｖ）の間の比率にある、請求項７に記載のバッチプロセス。
【請求項１１】
前記非イオン界面活性剤が０〜２％（ｖ/ｖ）の間の比率にある、請求項７に記載のバッチプロセス。
【請求項１２】
ガス排気部品に結合された、密封容器の内部から酸素をパ−ジまたは放出する方法であって、パ−ジ物質の入った容器内部を所定温度まで加熱して、パ−ジ物質が、前記ガス排気部品を通して容器内部から酸素を排出するのを誘発する段階を含む方法。
【請求項１３】
前記ガス排気部品を通って排気される凝縮ガスを収集する段階をさらに含む、請求項１２に記載の方法。
【請求項１４】
前記容器が反応器である、請求項１２に記載の方法。
【請求項１５】
前記パ−ジ物質が、固体パ−ジ物質、液体パ−ジ物質、およびそれらの混合物からなる群から選択される、請求項１２に記載の方法。
【請求項１６】
前記所定温度が、前記パ−ジ物質がガスになる温度に一致する、請求項１２に記載の方法。
【請求項１７】
密封反応器内部の炭化水素含有材料を熱分解し、前記反応器がガス排気部品を備えるバッチプロセスであって、
ａ）反応器中に炭化水素含有材料を装入し、反応器を密封する段階と、
ｂ）前記反応器から酸素をパ−ジする段階と、
ｃ）前記反応器を所定温度に加熱して分解生成物を得る段階と
を含み、
パ−ジする段階が、反応器を密封する前に、反応器にパ−ジ物質を装入する段階と、密封反応器の内部を第１の所定温度まで加熱して、パ−ジ物質が、前記ガス排気部品を通して容器内部から酸素を排出するのを誘発する段階と、を含む改良点を備えるバッチプロセス。
【請求項１８】
前記分解生成物を回収する段階を含む、請求項１７記載のバッチプロセス。
【請求項１９】
前記炭化水素含有材料が、車両タイヤ、ゴム材料、ビニルポリマ−、スチレンポリマ−、エチレンポリマ−、合成繊維、家庭廃棄物、動物廃棄物、生物医学的廃棄物、植物、およびそれらの混合物からなる群から選択される、請求項１７に記載のバッチプロセス。
【請求項２０】
前記パ−ジ物質が、固体パ−ジ物質、液体パ−ジ物質、およびそれらの混合物からなる群から選択される、請求項１７に記載のバッチプロセス。
【請求項２１】
前記第１の所定温度が、前記パ−ジ物質がガスになる温度に一致する、請求項１７に記載のバッチプロセス。
【請求項２２】
炭化水素含有材料の熱分解に使用されるバッチプロセス用装置であって、フィルタ系が、前記反応器室と同軸で、後部小室と前部小室とを画定しており、また、ガス収集部品が前記後部小室の内部に位置している装置。
【請求項２３】
炭化水素含有材料の熱分解に使用されるバッチプロセス用改良装置であって、真空ポンプを備えていない装置。
【請求項２４】
炭化水素含有材料の熱分解用装置であって、
ａ）密閉可能な反応器室と、
ｂ）前記反応器室と同軸で、後部小室および前部小室を画定するフィルタと、
ｃ）排気部品と、
ｄ）密閉可能で、前記前部小室中へのアクセスを可能にする開口部と、
ｅ）前記開口部を密閉するためのドアと、
ｆ）前記反応器室を加熱するための加熱部品と、を含み、
前記送値が真空ポンプを備えていない装置。
【請求項２５】
ガス排気部品に結合された、炭化水素含有材料の熱分解用装置の内部から酸素をパ−ジする方法であって、酸素親和性溶液の入った容器内部を所定温度まで加熱して、酸素親和性溶液が、前記ガス排気部品を通して前記装置内部から酸素を排出するのを誘発する段階を含む方法。
【請求項２６】
前記ガス排気部品を通して排気されるガスを収集する段階をさらに含む、請求項３６に記載の方法。
【請求項２７】
前記装置が反応器である、請求項３６に記載の方法。
【請求項２８】
前記所定温度が、少なくとも１００℃である、請求項３６に記載の方法。
【請求項２９】
前記酸素親和性溶液が、前記反応器内に存在するガス状酸素（Ｏ２）の各４モルについて、１０モルの水（Ｈ２Ｏ）と、エタノ−ル、イソプロパノ−ル、ｎ−ブタノ−ル、およびイソブタノ−ル、ならびに、それらの混合物からなる群から選択される４モルのアルコ−ルの比率を含む、請求項３６に記載の方法。
【請求項３０】
前記酸素親和性溶液が、６つ及び７つの炭素原子を有する炭化水素ならびにそれらの混合物からなる群から選択される、２０％（ｖ/ｖ）以下の短鎖炭化水素と、２％（ｖ/ｖ）以下の非イオン界面活性剤とをさらに含む、請求項４０に記載の方法。
【請求項３１】
前記酸素親和性溶液が、
ａ）水と、
ｂ）エタノ−ル、イソプロパノ−ル、ｎ−ブタノ−ル、およびイソブタノ−ル、ならびにこれらの混合物からなる群から選択されるアルコ−ルと、
ｃ）６つおよび７つの炭素原子を有する炭化水素ならびにそれらの混合物からなる群から選択される短鎖炭化水素と、
ｄ）非イオン界面活性剤であり、前記非イオン界面活性剤がポリエチレン−（２０）−ソルビタン−モノオレエ−トである非イオン界面活性剤と、を含む、請求項３６に記載の方法。
【請求項３２】
水が５０〜６０％（ｖ/ｖ）の間の比率にある、請求項４２に記載の方法。
【請求項３３】
前記アルコ−ルが３０〜４０％（ｖ/ｖ）の間の比率にある、請求項４２に記載の方法。
【請求項３４】
前記短鎖炭化水素が０〜２０％（ｖ/ｖ）の間の比率にある、請求項４２に記載の方法。
【請求項３５】
前記非イオン界面活性剤が０〜２％（ｖ/ｖ）の間の比率にある、請求項４２に記載の方法。